(57)【要約】【課題】新規な印刷機および印刷機を運転するための新規な方法を提供する。【解決手段】本発明は、印刷機であって、少なくとも１つの位置決め駆動部を備え、少なくとも１つのそれ自体変化する印刷パラメータ、特にそれ自体変化する印刷フォーマットおよび／またはそれ自体変化する被印刷材料厚に当該印刷機を適合させるために、１つのまたは各位置決め駆動部によって当該印刷機の少なくとも１つの装置が調節可能となっている印刷機に関する。本発明によると、１つのまたは各位置決め駆動部は、装置それぞれを調節するために必要な実際のモーメントを検出して評価装置に伝達し、評価装置は、調節のために予め設定された目標モーメントと実際のモーメントとを比較し、実際のモーメントが目標モーメントから許容不可能な程度逸脱している場合には、保守点検メッセージを生成および出力可能となっている。【選択図】図１
2008055910.tif 000002
【特許請求の範囲】
【請求項１】
印刷機であって、少なくとも１つの位置決め駆動部を備え、少なくとも１つのそれ自体変化する印刷パラメータ、特にそれ自体変化する印刷フォーマットおよび／またはそれ自体変化する被印刷材料厚に当該印刷機を適合させるために、１つのまたは各位置決め駆動部によって当該印刷機の少なくとも１つの装置が調節可能となっている印刷機において、
１つのまたは各位置決め駆動部は、前記装置それぞれを調節するために必要な実際のモーメントを検出して評価装置に伝達し、該評価装置は、調節のために予め設定された目標モーメントと実際のモーメントとを比較し、実際のモーメントが目標モーメントから許容不可能な程度逸脱している場合には、保守点検メッセージを生成および出力可能となっていることを特徴とする印刷機。
【請求項２】
請求項１に記載の印刷機において、
前記保守点検メッセージは、前記評価装置によって生成可能でありかつ当該印刷機のコントロールスタンドに出力可能となっていることを特徴とする印刷機。
【請求項３】
少なくとも１つの位置決め駆動部を備える印刷機を運転するための方法であって、少なくとも１つのそれ自体変化する印刷パラメータに印刷機を適合させるために、１つのまたは各位置決め駆動部によって印刷機の少なくとも１つの装置が調節される方法において、
１つのまたは各位置決め駆動部によって、前記装置それぞれを調節するために必要な実際のモーメントが検出されて評価装置に伝達され、調節のために予め設定された目標モーメントと実際のモーメントとが比較され、それにより、実際のモーメントが目標モーメントから許容不可能な程度逸脱している場合には、保守点検メッセージが生成および出力可能になることを特徴とする方法。
【発明の詳細な説明】
【技術分野】
【０００１】
本発明は、請求項１のプレアンブルに記載の印刷機と、請求項３のプレアンブルに記載の印刷機を運転するための方法とに関する。
【背景技術】
【０００２】
実際のプラクシスから公知となっている印刷機は位置決め駆動部を有しており、それにより、たとえば印刷機の設定運転中にこの印刷機の装置を調節して、それ自体変化する印刷パラメータ、たとえばそれ自体変化する印刷フォーマットおよび／またはそれ自体変化する被印刷材料厚に印刷機を適合させる。ここで、位置決め駆動部は、印刷機の１つのまたは各装置を調節するためだけに用いられる。
【発明の開示】
【発明が解決しようとする課題】
【０００３】
上記の事情に鑑みて、本発明の課題は、新規な印刷機および印刷機を運転するための新規な方法を提供することである。
【課題を解決するための手段】
【０００４】
上記課題は、請求項１に係る印刷機によって解決される。
【０００５】
本発明によると、１つのまたは各位置決め駆動部は、装置それぞれを調節するために必要な実際のモーメントを検出して評価装置に伝達し、評価装置は、調節のために予め設定された目標モーメントと実際のモーメントとを比較し、実際のモーメントが目標モーメントから許容不可能な程度逸脱している場合には、調節すべき装置それぞれに対して保守点検メッセージを生成および出力可能となっている。
【０００６】
本発明によると、印刷機の位置決め装置が、印刷機の装置の調節のために使用されるだけではなく、調節のために必要な実際のモーメントを検出して、調節のために予め設定された目標モーメントと比較し、この比較から、印刷機の調節すべき装置の規定どおりの機能性を推量することが提案される。
【０００７】
実際のモーメントが目標モーメントから許容不可能な程度逸脱している場合には、調節すべき装置に関して保守点検メッセージが生成および出力される。これによって、適切な時期に修理を要する印刷機の装置を同定して、この装置のために保守点検作業または修理サービス作業を開始することが可能になる。ここで、適切な時期とは、対応の装置が故障する前の適切な時期のことである。これによって、印刷機の稼働率を向上させるとともに、印刷機の停止時間を短縮することができるようになる。
【０００８】
本発明に係る印刷機を運転するための方法は請求項３に規定されている。
【発明を実施するための最良の形態】
【０００９】
本発明に係る好適な構成が、従属請求項および以下の説明から明らかになる。本発明に係る実施例を図面に基づいて詳細に説明するが、本発明に係る実施例はこれに限定されない。
【００１０】
本発明は、印刷機、特に枚葉紙印刷機、および、当該印刷機を運転するための方法に関する。印刷機は、印刷機内の被印刷材料に対して印刷を行うのに用いられる印刷装置および／またはニス引き装置の他に、少なくとも１つの位置決め駆動部を備える。
【００１１】
１つのまたは各位置決め駆動部は、印刷機の少なくとも１つの装置を調節し、それによってたとえば設定運転中に、それ自体変化する印刷パラメータ、特にそれ自体変化する印刷フォーマットおよび／またはそれ自体変化する被印刷材料厚に印刷機を適合させるために用いられる。
【００１２】
本発明によると、位置決め駆動部によって、印刷機の装置を調節するために必要な実際のモーメントを検出または検知できるとともに、評価装置に伝達できる。評価装置は、実際のモーメントを、調節のために予め設定されている目標モーメントと比較する。そして、実際のモーメントが予め設定されている目標モーメントから許容不可能な程度逸脱している場合には、保守点検メッセージを生成して出力し、位置決め駆動部によって調節すべき装置の保守点検作業または修理サービス作業を開始する。ここで、保守点検メッセージは、評価装置によって生成可能であるとともに印刷機のコントロールスタンドに出力可能となっていることが好ましい。
【００１３】
本発明に係る印刷機を運転するための方法を、図１に概略的に示した。少なくとも１つのそれ自体可変の印刷パラメータに適合させるために位置決め駆動部を用いて印刷機の装置を調節することを、図１のステップ１０で示してある。
【００１４】
ステップ１１では、調節の際に、印刷機の装置を調節するために必要な位置決め駆動部の実際のモーメントが検知または検出されて、評価装置に伝達される。
【００１５】
ステップ１２では、検出された実際のモーメントが、調節のために予め設定された目標モーメントと一致しているかどうか、または、予め設定された目標モーメントから許容不可能な程度逸脱しているかどうかが検査される。
【００１６】
ステップ１２において実際のモーメントが予め設定された目標モーメントから許容不可能な程度逸脱していることが判明した場合には、ステップ１３の方に進み、調節すべき装置それぞれに対して保守点検メッセージが生成されて出力される。
【００１７】
これに対して、ステップ１２において実際のモーメントが予め設定された目標モーメントから許容不可能な程度逸脱していないことが判明した場合には、ステップ１２に戻り、各装置の調節動作が終了するまでこの検査が遂行される。
【００１８】
本発明によって、位置決め駆動部によって調節される印刷機の装置の誤動作を早期に認識することができる。この場合、このような調節すべき装置に対する保守点検作業または修理サービス作業を適切な時期に開始することができるので、各装置の予期しない事故の結果発生する印刷機の停止時間を回避することができるようになる。
【図面の簡単な説明】
【００１９】
【図１】本発明に係る印刷機を運転するための方法を明確にするための信号フロー図である。
【符号の説明】
【００２０】
１０  ステップ
１１  ステップ
１２  ステップ
１３  ステップ
【図１】
2008055910.tif 000003